(57)【要約】【課題】電子マネー等のチャージにおけるユーザビリティを向上させること。【解決手段】本願に係る端末制御プログラムは、第１端末装置により実行される端末制御プログラムであって、二次元コードの読み取りにより決済可能な決済サービスに対応している第２端末装置に表示された入金用の二次元コードである入金コードを読み取ることで入金に関する入金情報を取得する取得手順と、取得手順によって取得された入金情報に基づく入金要求を、第１端末装置を利用するユーザの電子マネー口座を管理する情報処理装置へ送信する送信手順と、第１端末装置に実行させる。【選択図】図１
2020160972.tif 000002
【特許請求の範囲】
【請求項１】
第１端末装置により実行される端末制御プログラムであって、
二次元コードの読み取りにより決済可能な決済サービスに対応している第２端末装置に表示された入金用の二次元コードである入金コードを読み取ることで入金に関する入金情報を取得する取得手順と、
前記取得手順によって取得された入金情報に基づく入金要求を、前記第１端末装置を利用するユーザの電子マネー口座を管理する情報処理装置へ送信する送信手順と、
を前記第１端末装置に実行させることを特徴とする端末制御プログラム。
【請求項２】
二次元コードの読み取りにより決済可能な決済サービスに対応している第２端末装置により実行される端末制御プログラムであって、
第１端末装置に表示された入金用の二次元コードである入金コードを読み取ることで入金に関する入金情報を取得する取得手順と、
前記取得手順によって取得された入金情報に基づく入金要求を、前記第１端末装置を利用するユーザの電子マネー口座を管理する情報処理装置へ送信する送信手順と、
を前記第２端末装置に実行させることを特徴とする端末制御プログラム。
【請求項３】
前記送信手順は、
前記第２端末装置に入力された金額に基づく入金額に関する情報を前記入金要求とともに送信する
ことを特徴とする請求項１または２に記載の端末制御プログラム。
【請求項４】
前記送信手順は、
前記入金額に関する情報として、前記第２端末装置に入力された金額から前記第２端末装置に入力された金額のうち所定の金額を減額した金額に関する情報を送信する
ことを特徴とする請求項３に記載の端末制御プログラム。
【請求項５】
前記送信手順は、
前記入金額に関する情報として、前記第２端末装置に入力された金額から前記第２端末装置に入力された金額のうち所定の金額を増額した金額に関する情報を送信する
ことを特徴とする請求項３に記載の端末制御プログラム。
【請求項６】
前記送信手順は、
前記第２端末装置を利用する店舗を識別する店舗識別情報を前記入金要求とともに送信する
ことを特徴とする請求項１〜５のいずれか一つに記載の端末制御プログラム。
【請求項７】
前記送信手順は、
前記第１端末装置を利用するユーザを識別するユーザ識別情報を前記入金要求とともに送信する
ことを特徴とする請求項１〜６のいずれか一つに記載の端末制御プログラム。
【請求項８】
入金用の二次元コードである入金コードに基づく入金情報であって、入金に関する入金情報に基づく入金要求を取得する取得部と、
前記取得部によって取得された入金要求に応じて、第１端末装置を利用するユーザの電子マネー口座に第２端末装置に入力された金額に基づく入金額の電子マネーを入金する入金部と、
を備えることを特徴とする情報処理装置。
【請求項９】
前記取得部は、
前記第１端末装置を利用するユーザを識別するユーザ識別情報、前記第２端末装置を利用する店舗を識別する店舗識別情報、及び前記第２端末装置に入力された金額に基づく入金額に関する情報を入金要求とともに取得する
ことを特徴とする請求項８に記載の情報処理装置。
【請求項１０】
前記入金部は、
前記取得部によって取得された入金額に関する情報に基づいて、前記入金額の電子マネーとして、前記第２端末装置に入力された金額から前記第２端末装置に入力された金額のうち所定の金額を減額した金額の電子マネーを入金する
ことを特徴とする請求項９に記載の情報処理装置。
【請求項１１】
前記入金部は、
前記取得部によって取得された入金額に関する情報に基づいて、前記入金額の電子マネーとして、前記第２端末装置に入力された金額から前記第２端末装置に入力された金額のうち所定の金額を増額した金額の電子マネーを入金する
ことを特徴とする請求項９に記載の情報処理装置。
【請求項１２】
前記入金部は、
前記ユーザの電子マネー口座に入金された入金額の累計金額に応じて、前記所定の金額を段階的に変更する
ことを特徴とする請求項１１に記載の情報処理装置。
【請求項１３】
前記入金部は、
前記ユーザの電子マネー口座に入金された入金額の累計金額が多くなるほど、前記所定の金額を高くするように段階的に変更する
ことを特徴とする請求項１２に記載の情報処理装置。
【請求項１４】
前記入金部は、
前記入金額の電子マネーとして、前記第２端末装置を利用する店舗でのみ利用可能な電子マネーを入金する
ことを特徴とする請求項８〜１３のいずれか一つに記載の情報処理装置。
【請求項１５】
前記第２端末装置を利用する店舗の銀行口座から所定の金額を出金する出金部をさらに備え、
前記取得部は、
前記第２端末装置に入力された金額に基づく出金額に対応する赤伝票に関する赤伝情報を前記第２端末装置から取得し、
前記出金部は、
前記取得部によって取得された赤伝情報に基づいて、前記店舗の銀行口座から前記出金額を出金する
ことを特徴とする請求項８〜１４のいずれか一つに記載の情報処理装置。
【請求項１６】
コンピュータが実行する情報処理方法であって、
入金用の二次元コードである入金コードに基づく入金情報であって、入金に関する入金情報に基づく入金要求を取得する取得工程と、
前記取得工程によって取得された入金要求に応じて、第１端末装置を利用するユーザの電子マネー口座に第２端末装置に入力された金額に基づく入金額の電子マネーを入金する入金工程と、
を含むことを特徴とする情報処理方法。
【請求項１７】
入金用の二次元コードである入金コードに基づく入金情報であって、入金に関する入金情報に基づく入金要求を取得する取得手順と、
前記取得手順によって取得された入金要求に応じて、第１端末装置を利用するユーザの電子マネー口座に第２端末装置に入力された金額に基づく入金額の電子マネーを入金する入金手順と、
をコンピュータに実行させることを特徴とする情報処理プログラム。
【発明の詳細な説明】
【技術分野】
【０００１】
本発明は、端末制御プログラム、情報処理装置、情報処理方法、及び情報処理プログラムに関する。
【背景技術】
【０００２】
従来、電子マネー等の残高をチャージする技術が知られている。例えば、バーコードに含まれた金額情報に応じて、バーコードに含まれた取引ＩＤに従って識別された利用者の残高をチャージする技術が提案されている。
【先行技術文献】
【特許文献】
【０００３】
【特許文献１】特開２０１７−９７６５６号公報
【発明の概要】
【発明が解決しようとする課題】
【０００４】
しかしながら、上記の従来技術では、電子マネー等のチャージにおけるユーザビリティを向上させることができるとは限らない。例えば、上記の従来技術では、バーコードに含まれた金額情報に応じて、バーコードに含まれた取引ＩＤに従って識別された利用者の残高をチャージするにすぎず、電子マネー等のチャージにおけるユーザビリティを向上させることができるとは限らない。
【０００５】
本願は、上記に鑑みてなされたものであって、電子マネー等のチャージにおけるユーザビリティを向上させることができる端末制御プログラム、情報処理装置、情報処理方法、及び情報処理プログラムを提供することを目的とする。
【０００６】
本願に係る端末制御プログラムは、第１端末装置により実行される端末制御プログラムであって、二次元コードの読み取りにより決済可能な決済サービスに対応している第２端末装置に表示された入金用の二次元コードである入金コードを読み取ることで入金に関する入金情報を取得する取得手順と、前記取得手順によって取得された入金情報に基づく入金要求を、前記第１端末装置を利用するユーザの電子マネー口座を管理する情報処理装置へ送信する送信手順と、を前記第１端末装置に実行させることを特徴とする。
【発明の効果】
【０００７】
実施形態の一態様によれば、電子マネー等のチャージにおけるユーザビリティを向上させることができるといった効果を奏する。
【図面の簡単な説明】
【０００８】
【図１】図１は、第１の実施形態に係る情報処理の一例を示す図である。
【図２】図２は、第１の実施形態に係る第１端末装置の構成例を示す図である。
【図３】図３は、第１の実施形態に係るユーザ情報記憶部の一例を示す図である。
【図４】図４は、第１の実施形態に係る入金コード情報記憶部の一例を示す図である。
【図５】図５は、第１の実施形態に係る情報処理手順を示すフローチャートである。
【図６】図６は、第１の実施形態に係る情報処理装置の構成例を示す図である。
【図７】図７は、第１の実施形態に係るユーザ情報記憶部の一例を示す図である。
【図８】図８は、第１の実施形態に係る店舗情報記憶部の一例を示す図である。
【図９】図９は、第１の実施形態に係る入金情報記憶部の一例を示す図である。
【図１０】図１０は、第１の実施形態に係る赤伝情報記憶部の一例を示す図である。
【図１１】図１１は、第１の実施形態に係る入金処理手順を示すフローチャートである。
【図１２】図１２は、第１の実施形態に係る出金処理手順を示すフローチャートである。
【図１３】図１３は、第２の実施形態に係る情報処理の一例を示す図である。
【図１４】図１４は、第２の実施形態に係る第２端末装置の構成例を示す図である。
【図１５】図１５は、第２の実施形態に係る店舗情報記憶部の一例を示す図である。
【図１６】図１６は、第２の実施形態に係る入金情報記憶部の一例を示す図である。
【図１７】図１７は、第２の実施形態に係る情報処理手順を示すフローチャートである。
【図１８】図１８は、第１端末装置、情報処理装置及び第２端末装置の機能を実現するコンピュータの一例を示すハードウェア構成図である。
【発明を実施するための形態】
【０００９】
以下に、本願に係る端末制御プログラム、情報処理装置、情報処理方法、及び情報処理プログラムを実施するための形態（以下、「実施形態」と呼ぶ）について図面を参照しつつ詳細に説明する。なお、この実施形態により本願に係る端末制御プログラム、情報処理装置、情報処理方法及び情報処理プログラムが限定されるものではない。また、以下の各実施形態において同一の部位には同一の符号を付し、重複する説明は省略される。
【００１０】
〔１．第１の実施形態〕
〔１−１．情報処理の一例〕
まず、図１を用いて、第１の実施形態に係る情報処理の一例について説明する。図１は、第１の実施形態に係る情報処理の一例を示す図である。第１の実施形態にかかる情報処理システム１には、第１端末装置１０と、第２端末装置２０と、情報処理装置１００とが含まれる。第１端末装置１０と、第２端末装置２０と、情報処理装置１００とは、所定のネットワークＮを介して、有線または無線により通信可能に接続される。なお、図１に示す情報処理システム１には、任意の数の第１端末装置１０と任意の数の第２端末装置２０と任意の数の情報処理装置１００とが含まれてもよい。
【００１１】
図１では、ＱＲコード（Ｑｕｉｃｋ  Ｒｅｓｐｏｎｓｅ  Ｃｏｄｅ）（登録商標）読み取りにより決済可能な決済サービス（以下、適宜「コード決済サービスＳＡ１」と記載する。）を利用可能な店舗の端末である第２端末装置２０に表示されたＱＲコード（登録商標）をユーザの端末である第１端末装置１０が読み取る。そして、第１端末装置１０が、ＱＲコード（登録商標）に基づく入金要求を、ユーザの電子マネー口座を管理する情報処理装置１００に送信する。また、情報処理装置１００がＱＲコード（登録商標）に基づく入金要求に基づいて、ユーザの電子マネー口座に所定の金額を入金する（チャージする）例を示す。
【００１２】
第１端末装置１０は、ユーザにより利用される情報処理装置である。例えば、第１端末装置１０は、ユーザが携帯する端末装置である。第１端末装置１０は、例えば、スマートフォンや、タブレット型端末や、ノート型ＰＣ（Personal  Computer）や、携帯電話機や、ＰＤＡ（Personal  Digital  Assistant）等により実現される。また、第１端末装置１０は、二次元コード等の所定のコードを読み取り可能である。例えば、第１端末装置１０は、ＱＲコード（登録商標）の検知（読取り）機能を提供する所定のアプリケーション（以下「アプリ」ともいう）がインストール済みであってもよい。図１の例では、第１端末装置１０には、第１の実施形態に係る端末制御プログラム（以下、適宜「アプリＡＰ１」と記載する。）がインストール済みであるものとする。アプリＡＰ１は、コード決済サービスＳＡ１を提供するためのユーザ向けのアプリであり、ＱＲコード（登録商標）を検知可能なアプリである。第１端末装置１０は、第１端末装置１０にインストールされたアプリＡＰ１を実行する。
【００１３】
第１端末装置１０は、ＱＲコード（登録商標）の読み取りにより決済可能な決済サービスに対応している第２端末装置２０に表示された入金用のＱＲコード（登録商標）である入金コードを読み取ることで入金に関する入金情報を取得する。また、第１端末装置１０は、取得した入金情報に基づく入金要求を、第１端末装置１０を利用するユーザの電子マネー口座を管理する情報処理装置１００へ送信する。なお、以下では、第１端末装置１０をユーザと同一視する場合がある。すなわち、以下では、ユーザを第１端末装置１０と読み替えることもできる。
【００１４】
また、以下では、ユーザＩＤ「Ｕ１」により特定されるユーザを「ユーザＵ１」とする場合がある。このように、以下では、「ユーザＵ＊（＊は任意の数値）」と記載した場合、そのユーザはユーザＩＤ「Ｕ＊」により特定されるユーザであることを示す。例えば、「ユーザＵ２」と記載した場合、そのユーザはユーザＩＤ「Ｕ２」により特定されるユーザである。
【００１５】
第２端末装置２０は、コード決済サービスＳＡ１に対応している情報処理装置である。第２端末装置２０は、コード決済サービスＳＡ１を利用可能な店舗の従業員等により利用される情報処理装置である。ここで、コード決済サービスＳＡ１を利用可能な店舗とは、コード決済サービスＳＡ１の提供元と加盟店契約を結んでいる店舗を指す。第２端末装置２０は、スマートフォンや、タブレット型端末や、ノート型ＰＣや、携帯電話機や、ＰＤＡ等である。図１の例では、第２端末装置２０には、コード決済サービスＳＡ１を提供するための店舗向けのアプリ（以下、適宜「アプリＡＰ２」と記載する。）がインストール済みであるものとする。第２端末装置２０は、第２端末装置２０にインストールされたアプリＡＰ２を実行する。具体的には、第２端末装置２０は、従業員等の入力操作に従って、ユーザが店舗に預け入れた現金の金額の入力を受け付ける。また、第２端末装置２０は、受け付けた金額に基づいて、入金に係る手数料を計算する。また、第２端末装置２０は、入金用のＱＲコード（登録商標）である入金コードを生成する。第２端末装置２０は、生成した入金コードを第２端末装置２０の画面に表示する。なお、以下では、第２端末装置２０を店舗と同一視する場合がある。すなわち、以下では、店舗を第２端末装置２０と読み替えることもできる。
【００１６】
また、以下では、店舗ＩＤ「ＳＴ１」により特定される店舗を「店舗ＳＴ１」とする場合がある。このように、以下では、「店舗ＳＴ＊（＊は任意の数値）」と記載した場合、その店舗は店舗ＩＤ「ＳＴ＊」により特定される店舗であることを示す。例えば、「店舗ＳＴ２」と記載した場合、その店舗は店舗ＩＤ「ＳＴ２」により特定される店舗である。
【００１７】
情報処理装置１００は、コード決済サービスＳＡ１を提供するサーバ装置である。また、情報処理装置１００は、第１端末装置１０を利用するユーザの電子マネー口座の残高を管理する。また、情報処理装置１００は、入金用の二次元コードである入金コードに基づく入金情報であって、入金に関する入金情報に基づく入金要求を取得する。また、情報処理装置１００は、取得した入金要求に応じて、第１端末装置を利用するユーザの電子マネー口座に第２端末装置２０に入力された金額に基づく入金額の電子マネーを入金する。
【００１８】
ここから、図１を用いて、情報処理の流れについて説明する。図１は、実施形態に係る情報処理の一例を示す図である。図１に示す例では、ユーザＵ１は、コード決済サービスＳＡ１を利用可能な店舗ＳＴ１において、現金を電子マネー口座にチャージすることを希望している。ユーザＵ１は、コード決済サービスＳＡ１を利用可能な店舗ＳＴ１のカウンターで店舗ＳＴ１に８００円の現金を預け入れる（ステップＳ１１）。店舗ＳＴ１の従業員は、ユーザＵ１から預かった現金を売上として計上する。続いて、店舗ＳＴ１の従業員は、第２端末装置２０にインストールされたアプリＡＰ２を起動する。これにより、第２端末装置２０は、入金用のＱＲコード（登録商標）である入金コードを生成する生成モードになる。また、店舗ＳＴ１の従業員は、ユーザＵ１から預かった現金の金額である８００円を第２端末装置２０に入力する（ステップＳ１２）。
【００１９】
第２端末装置２０は、店舗ＳＴ１の従業員の入力操作に従って、現金の金額である８００円の入力を受け付ける。第２端末装置２０は、現金の金額である８００円の入力を受け付けると、受け付けた現金の金額に基づいて、入金に係る手数料を算出する（ステップＳ１３）。図１では、手数料は、ユーザから預かった現金の金額の１０％であり、コード決済サービスＳＡ１と店舗ＳＴ１とで手数料を半分ずつ按分する例を示す。図１では、第２端末装置２０は、ユーザから預かった現金の金額が８００円なので、８００円の１０％である８０円を手数料として算出する。また、第２端末装置２０は、手数料である８０円のうち、半分の金額である４０円をコード決済サービスＳＡ１の手数料として算出する。また、第２端末装置２０は、手数料である８０円のうち、半分の金額である４０円を店舗ＳＴ１の手数料（以下、適宜「店舗手数料」と記載する。）として算出する。続いて、第２端末装置２０は、手数料を計算すると、ユーザＵ１の電子マネー口座に入金する金額である入金額を算出する。図１に示す例では、第２端末装置２０は、ユーザから預かった現金の金額である８００円から、手数料である８０円を引いた金額である７２０円を入金額として算出する。
【００２０】
続いて、第２端末装置２０は、入金額を算出すると、店舗ＳＴ１を識別する店舗ＩＤ「ＳＴ１」と入金額である７２０円の情報を埋め込んだ入金用のＱＲコード（登録商標）である入金コードを生成する。第２端末装置２０は、入金用のＱＲコード（登録商標）を生成すると、生成した入金用のＱＲコード（登録商標）を第２端末装置２０の画面に表示する（ステップＳ１４）。
【００２１】
また、店舗ＳＴ１の管理者は、入金額を算出した後に、ユーザから預かった現金の金額である８００円から、店舗手数料である４０円を引いた金額である７６０円をレジから出金して、店舗ＳＴ１によってコード決済サービスＳＡ１の引き落とし口座として登録された店舗ＳＴ１の銀行口座に７６０円を入金する。第２端末装置２０は、店舗ＳＴ１の銀行口座に入金された金額である７６０円分の赤伝票に関する赤伝情報を生成する。店舗ＳＴ１の管理者端末（図示略）は、第２端末装置２０によって赤伝情報が生成されると、第２端末装置２０が生成した赤伝情報をコード決済サービスＳＡ１の管理者端末（図示略）へ送信する（ステップＳ１５）。
【００２２】
一方、ユーザＵ１は、店舗ＳＴ１に８００円の現金を預け入れると、第１端末装置１０にインストールされたアプリＡＰ１を起動する。これにより、第１端末装置１０は、入金用のＱＲコード（登録商標）を検知する（読み取る）ための撮像モードになる。第１端末装置１０は、ユーザＵ１の操作に従って、第２端末装置２０に表示された入金用のＱＲコード（登録商標）を読み取ることで入金に関する入金情報を取得する（ステップＳ１６）。具体的には、第１端末装置１０は、第２端末装置２０に入力された金額に基づく入金額である「７２０円」に関する情報が埋め込まれた入金用のＱＲコード（登録商標）を読み取ることで、入金情報として、入金額である「７２０円」に関する情報を取得する。また、第１端末装置１０は、第２端末装置２０を利用する店舗ＳＴ１を識別する店舗ＩＤ「ＳＴ１」が埋め込まれた入金用のＱＲコード（登録商標）を読み取ることで、入金情報として、店舗ＩＤ「ＳＴ１」を取得する。また、第１端末装置１０は、記憶部１４（図２参照）を参照して、第１端末装置１０を利用するユーザＵ１を識別するユーザＩＤ「Ｕ１」を取得する。
【００２３】
続いて、第１端末装置１０は、入金情報を取得すると、取得した入金情報に基づく入金要求を、第１端末装置１０を利用するユーザＵ１の電子マネー口座を管理する情報処理装置１００へ送信する（ステップＳ１７）。具体的には、第１端末装置１０は、入金情報として取得した入金額である「７２０円」に関する情報と、入金情報として取得した店舗ＩＤ「ＳＴ１」と、記憶部１４（図２参照）から取得したユーザＩＤ「Ｕ１」とを入金要求とともに情報処理装置１００へ送信する。
【００２４】
情報処理装置１００は、第１端末装置１０から入金要求を取得する（ステップＳ１８）。具体的には、情報処理装置１００は、入金額である「７２０円」に関する情報と、第２端末装置２０を利用する店舗ＳＴ１を識別する店舗ＩＤ「ＳＴ１」と、第１端末装置１０を利用するユーザＵ１を識別するユーザＩＤ「Ｕ１」とを入金要求とともに取得する。情報処理装置１００は、店舗ＩＤ「ＳＴ１」を取得すると、取得した店舗ＩＤ「ＳＴ１」がコード決済サービスＳＡ１の利用可能店舗に関する店舗情報記憶部１２２（図６参照）に存在するか否かを判定する。情報処理装置１００は、取得した店舗ＩＤ「ＳＴ１」が店舗情報記憶部１２２（図６参照）に存在すると判定すると、店舗ＩＤ「ＳＴ１」に対応する店舗ＳＴ１がコード決済サービスＳＡ１の利用可能店舗であると判定する。
【００２５】
続いて、情報処理装置１００は、店舗ＳＴ１がコード決済サービスＳＡ１の利用可能店舗であると判定すると、取得した入金要求に応じて、ユーザＵ１の電子マネー口座に入金額を入金（チャージ）する（ステップＳ１９）。また、コード決済サービスＳＡ１の管理者端末は、店舗ＳＴ１の管理者端末から赤伝情報を受信する（ステップＳ１１０）。コード決済サービスＳＡ１の管理者は、コード決済サービスＳＡ１の管理者端末が赤伝情報を受信すると、受信した赤伝情報に基づいて、店舗ＳＴ１から７６０円を引き落とす。具体的には、店舗ＳＴ１の銀行口座から、コード決済サービスＳＡ１の銀行口座に７６０円が引き落とされる（ステップＳ１１１）。
【００２６】
上述したように、第１端末装置１０は、二次元コードの読み取りにより決済可能な決済サービスに対応している第２端末装置２０に表示された入金用の二次元コードである入金コードを読み取ることで入金に関する入金情報を取得する。また、第１端末装置１０は、取得した入金情報に基づく入金要求を、第１端末装置１０を利用するユーザの電子マネー口座を管理する情報処理装置１００へ送信する。これにより、第１端末装置１０は、ユーザが電子マネー等をチャージしたいと思ったときに、二次元コードの読み取りにより決済可能な決済サービスに対応している店舗であればいつでもどこでも手軽に現金をチャージすることを可能にする。したがって、第１端末装置１０は、電子マネー等のチャージにおけるユーザビリティを向上させることができる。
【００２７】
また、情報処理装置１００は、入金用の二次元コードである入金コードに基づく入金情報であって、入金に関する入金情報に基づく入金要求を取得する。また、情報処理装置１００は、取得した入金要求に応じて、第１端末装置１０を利用するユーザの電子マネー口座に第２端末装置２０に入力された金額に基づく入金額の電子マネーを入金する。これにより、情報処理装置１００は、ユーザが電子マネー等をチャージしたいと思ったときに、二次元コードの読み取りにより決済可能な決済サービスに対応している店舗であればいつでもどこでも手軽に現金をユーザの電子マネー口座に入金することができる。したがって、情報処理装置１００は、電子マネー等のチャージにおけるユーザビリティを向上させることができる。
【００２８】
〔１−２．第１端末装置の構成〕
次に、図２を用いて、第１の実施形態に係る第１端末装置１０の構成について説明する。図２は、第１の実施形態に係る第１端末装置１０の構成例を示す図である。図２に示すように、第１端末装置１０は、通信部１１と、入力部１２と、撮像部１３と、記憶部１４と、制御部１５と、表示部１６とを有する。
【００２９】
（通信部１１）
通信部１１は、例えば、ＮＩＣ（Network  Interface  Card）等によって実現される。そして、通信部１１は、ネットワークと有線または無線で接続され、例えば、第２端末装置２０と、情報処理装置１００との間で情報の送受信を行う。
【００３０】
（入力部１２）
入力部１２は、ユーザからの各種操作を受け付ける。例えば、入力部１２は、タッチパネル機能により表示面を介してユーザからの各種操作を受け付けてもよい。また、入力部１２は、第１端末装置１０に設けられたボタンや、第１端末装置１０に接続されたキーボードやマウスからの各種操作を受け付けてもよい。
【００３１】
（撮像部１３）
撮像部１３は、バーコードやＱＲコード（登録商標）を撮像するカメラ機能を実現する。撮像部１３は、レンズ等の光学系と、ＣＣＤ（Charge  Coupled  Device）イメージセンサ、ＣＭＯＳ（Complementary  Metal  Oxide  Semiconductor）センサ等の撮像素子と、を有する。かかる撮像部１３は、入力部１２を介してユーザから受け付けた操作に従って、例えば、第２端末装置２０に表示されたＱＲコード（登録商標）を撮像する。
【００３２】
（記憶部１４）
記憶部１４は、例えば、ＲＡＭ（Random  Access  Memory)、フラッシュメモリ（Flash  Memory）等の半導体メモリ素子、または、ハードディスク、光ディスク等の記憶装置によって実現される。記憶部１４は、例えば、第１端末装置１０にインストールされているアプリケーション（例えばアプリＡＰ１等）に関する情報、例えばプログラム等を記憶する。また、記憶部１４は、図２に示すように、ユーザ情報記憶部１４１と入金コード情報記憶部１４２を有する。
【００３３】
（ユーザ情報記憶部１４１）
ユーザ情報記憶部１４１は、ユーザに関する各種の情報を記憶する。図３に、第１の実施形態に係るユーザ情報記憶部の一例を示す。図３に示す例では、ユーザ情報記憶部１４１は、「ユーザＩＤ」、「利用端末ＩＤ」、「アプリＩＤ」といった項目を有する。
【００３４】
「ユーザＩＤ」は、第１端末装置１０を利用するユーザを識別する識別情報を示す。「利用端末ＩＤ」は、ユーザによって利用される第１端末装置１０を識別する識別情報を示す。「アプリＩＤ」は、第１端末装置１０にインストールされたアプリを識別する識別情報を示す。
【００３５】
（入金コード情報記憶部１４２）
入金コード情報記憶部１４２は、入金コードに関する各種の情報を記憶する。図４に、第１の実施形態に係る入金コード情報記憶部の一例を示す。図４に示す例では、入金コード情報記憶部１４２は、「入金コードＩＤ」、「入金額」、「ユーザＩＤ」、「店舗ＩＤ」といった項目を有する。
【００３６】
「入金コードＩＤ」は、入金コードを識別する識別情報を示す。「入金額」は、ユーザの電子マネー口座に入金する入金額を示す。「ユーザＩＤ」は、第１端末装置１０を利用するユーザを識別する識別情報を示す。「店舗ＩＤ」は、第２端末装置２０を利用する店舗を識別する識別情報を示す。
【００３７】
（制御部１５）
制御部１５は、コントローラ（controller）であり、例えば、ＣＰＵ（Central  Processing  Unit）やＭＰＵ（Micro  Processing  Unit）等によって、第１端末装置１０の内部の記憶装置に記憶されている各種プログラム（例えば、アプリＡＰ１）がＲＡＭを作業領域として実行されることにより実現される。また、制御部１５は、例えば、コントローラであり、ＡＳＩＣ（Application  Specific  Unit）やＦＰＧＡ（Field  Programmable  Gate  Array）等の集積回路により実現される。
【００３８】
図５に示すように、制御部１５は、取得部１５１と、送信部１５２と、受信部１５３と、表示制御部１５４とを有し、以下に説明する情報処理の作用を実現または実行する。
【００３９】
（取得部１５１）
取得部１５１は、二次元コードの読み取りにより決済可能な決済サービスに対応している第２端末装置２０に表示された入金用の二次元コードである入金コードを読み取ることで入金に関する入金情報を取得する。取得部１５１は、第２端末装置２０によって生成された入金コードを読み取ることで入金に関する入金情報を取得する。取得部１５１は、第２端末装置２０に入力された金額に基づく入金額に関する情報が埋め込まれた入金コードを読み取ることで入金に関する入金情報を取得する。
【００４０】
具体的には、取得部１５１は、入金情報として、第２端末装置２０に入力された金額に基づく入金額に関する情報を取得する。より具体的には、取得部１５１は、第２端末装置２０に入力された金額に基づく入金額に関する情報が埋め込まれた入金用のＱＲコード（登録商標）を読み取ることで、入金額に関する情報を取得する。取得部２５１は、読み取った入金コードに埋め込まれた入金額に関する情報を取得する。取得部１５１は、入金額に関する情報を取得すると、取得した入金額に関する情報を入金コードＩＤと対応付けて入金コード情報記憶部１４２に格納する。
【００４１】
また、取得部１５１は、第２端末装置２０を利用する店舗を識別する店舗識別情報が埋め込まれた入金コードを読み取ることで入金に関する入金情報を取得する。具体的には、取得部１５１は、入金情報として、第２端末装置２０を利用する店舗を識別する店舗識別情報を取得する。より具体的には、取得部１５１は、第２端末装置２０を利用する店舗を識別する店舗ＩＤが埋め込まれた入金用のＱＲコード（登録商標）を読み取ることで、店舗識別情報である店舗ＩＤを取得する。取得部２５１は、読み取った入金コードに埋め込まれた店舗ＩＤを取得する。取得部１５１は、店舗ＩＤを取得すると、取得した店舗ＩＤを入金コードＩＤと対応付けて入金コード情報記憶部１４２に格納する。
【００４２】
また、取得部１５１は、第１端末装置１０を利用するユーザを識別するユーザ識別情報を取得する。より具体的には、取得部１５１は、ユーザ情報記憶部１４１を参照して、ユーザ識別情報であるユーザＩＤを取得する。取得部１５１は、ユーザＩＤを取得すると、取得したユーザＩＤを入金コードＩＤと対応付けて入金コード情報記憶部１４２に格納する。
【００４３】
（送信部１５２）
送信部１５２は、取得部１５１によって取得された入金情報に基づく入金要求を、第１端末装置１０を利用するユーザの電子マネー口座を管理する情報処理装置１００へ送信する。具体的には、送信部１５２は、第２端末装置２０に入力された金額に基づく入金額に関する情報を入金要求とともに送信する。より具体的には、送信部１５２は、入金コード情報記憶部１４２を参照して、入金コードＩＤに対応する入金額に関する情報を取得する。続いて、送信部１５２は、入金額に関する情報を取得すると、取得した入金額に関する情報を入金要求とともに送信する。
【００４４】
また、送信部１５２は、入金額に関する情報として、第２端末装置２０に入力された金額から第２端末装置２０に入力された金額のうち所定の金額を減額した金額に関する情報を送信する。例えば、送信部１５２は、第２端末装置２０に入力された金額から固定金額である所定の金額を減額した金額に関する情報を送信する。また、送信部１５２は、第２端末装置２０に入力された金額から第２端末装置２０に入力された金額のうち所定の割合に相当する金額である所定の金額を減額した金額に関する情報を送信する。例えば、送信部１５２は、ユーザから預かった現金の金額から第２端末装置２０によって算出された入金に係る手数料を減額した金額に関する情報を送信する。例えば、送信部１５２は、ユーザから預かった現金の金額から店舗手数料を減額した金額に関する情報を送信する。
【００４５】
また、送信部１５２は、第２端末装置を利用する店舗を識別する店舗識別情報を入金要求とともに送信する。より具体的には、送信部１５２は、入金コード情報記憶部１４２を参照して、入金コードＩＤに対応する店舗ＩＤを店舗識別情報として取得する。続いて、送信部１５２は、店舗ＩＤを取得すると、取得した店舗ＩＤを入金要求とともに送信する。
【００４６】
また、送信部１５２は、第１端末装置１０を利用するユーザを識別するユーザ識別情報を入金要求とともに送信する。より具体的には、送信部１５２は、入金コード情報記憶部１４２を参照して、入金コードＩＤに対応するユーザＩＤをユーザ識別情報として取得する。続いて、送信部１５２は、ユーザＩＤを取得すると、取得したユーザＩＤを入金要求とともに送信する。
【００４７】
（受信部１５３）
受信部１５３は、情報処理装置１００から入金完了の通知を受信する。
【００４８】
（表示制御部１５４）
表示制御部１５４は、入力部１２によって受け付けられた各種操作に応じて、表示部１６に各種情報を表示制御する。また、表示制御部１５４は、受信部１５３によって受信された通知が表示部１６に表示されるよう表示制御する。
【００４９】
（表示部１６）
表示部１６は、各種情報を表示するための表示装置である。例えば、表示部１６は、液晶ディスプレイ等によって実現される。なお、第１端末装置１０にタッチパネルが採用された場合には、入力部１２と表示部１６とは一体化される。
【００５０】
〔１−３．情報処理のフロー〕
次に、図５を用いて、第１の実施形態に係る情報処理の手順について説明する。図５は、第１の実施形態に係る情報処理手順を示すフローチャートである。図５に示す例では、第１端末装置１０は、第２端末装置２０に表示された入金用のＱＲコード（登録商標）を読み取ることで入金に関する入金情報を取得したか否かを判定する（ステップＳ１０１）。第１端末装置１０は、入金用のＱＲコード（登録商標）を読み取ることで入金に関する入金情報を取得していない場合（ステップＳ１０１；Ｎｏ）、入金用のＱＲコード（登録商標）を読み取ることで入金に関する入金情報を取得まで待機する。
【００５１】
一方、第１端末装置１０は、入金用のＱＲコード（登録商標）を読み取ることで入金に関する入金情報を取得した場合（ステップＳ１０１；Ｙｅｓ）、取得した入金情報に基づく入金要求を、第１端末装置１０を利用するユーザの電子マネー口座を管理する情報処理装置１００へ送信する（ステップＳ１０２）。
【００５２】
〔１−４．情報処理装置の構成〕
次に、図６を用いて、第１の実施形態に係る情報処理装置１００の構成について説明する。図６は、第１の実施形態に係る情報処理装置１００の構成例を示す図である。図６に示すように、情報処理装置１００は、通信部１１０と、記憶部１２０と、制御部１３０とを有する。なお、情報処理装置１００は、情報処理装置１００の管理者等から各種操作を受け付ける入力部（例えば、キーボードやマウス等）や、各種情報を表示させるための表示部（例えば、液晶ディスプレイ等）を有してもよい。
【００５３】
（通信部１１０）
通信部１１０は、例えば、ＮＩＣ等によって実現される。そして、通信部１１０は、ネットワークと有線または無線で接続され、例えば、第１端末装置１０と、第２端末装置２０との間で情報の送受信を行う。
【００５４】
（記憶部１２０）
記憶部１２０は、例えば、ＲＡＭ、フラッシュメモリ等の半導体メモリ素子、または、ハードディスク、光ディスク等の記憶装置によって実現される。記憶部１２０は、図６に示すように、ユーザ情報記憶部１２１と店舗情報記憶部１２２と入金情報記憶部１２３と赤伝情報記憶部１２４とを有する。
【００５５】
（ユーザ情報記憶部１２１）
ユーザ情報記憶部１２１は、ユーザに関する各種の情報を記憶する。図７に、第１の実施形態に係るユーザ情報記憶部の一例を示す。図７に示す例では、ユーザ情報記憶部１２１は、「ユーザＩＤ」、「利用端末ＩＤ」、「電子マネー残高」といった項目を有する。
【００５６】
「ユーザＩＤ」は、コード決済サービスＳＡ１を利用するユーザを識別する識別情報を示す。「利用端末ＩＤ」は、ユーザによって利用される第１端末装置１０を識別する識別情報を示す。「電子マネー残高」は、コード決済サービスＳＡ１を利用するユーザの電子マネー口座の残高を示す。
【００５７】
（店舗情報記憶部１２２）
店舗情報記憶部１２２は、店舗に関する各種の情報を記憶する。図８に、第１の実施形態に係る店舗情報記憶部の一例を示す。図８に示す例では、店舗情報記憶部１２２は、「店舗ＩＤ」、「利用端末ＩＤ」、「銀行口座」といった項目を有する。
【００５８】
「店舗ＩＤ」は、コード決済サービスＳＡ１を利用可能な店舗を識別する識別情報を示す。「利用端末ＩＤ」は、コード決済サービスＳＡ１を利用可能な店舗によって利用される第２端末装置２０を識別する識別情報を示す。「銀行口座」は、コード決済サービスＳＡ１を利用可能な店舗がコード決済サービスＳＡ１の引き落とし口座として登録している銀行口座を示す。
【００５９】
（入金情報記憶部１２３）
入金情報記憶部１２３は、入金情報に関する各種の情報を記憶する。図９に、第１の実施形態に係る入金情報記憶部の一例を示す。図９に示す例では、入金情報記憶部１２３は、「入金コードＩＤ」、「ユーザＩＤ」、「入金額」、「店舗ＩＤ」といった項目を有する。
【００６０】
「入金コードＩＤ」は、入金コードを識別する識別情報を示す。「入金額」は、ユーザの電子マネー口座に入金する入金額を示す。「ユーザＩＤ」は、第１端末装置１０を利用するユーザを識別する識別情報を示す。「店舗ＩＤ」は、第２端末装置２０を利用する店舗を識別する識別情報を示す。
【００６１】
（赤伝情報記憶部１２４）
赤伝情報記憶部１２４は、赤伝票に関する各種の情報を記憶する。図１０に、第１の実施形態に係る赤伝情報記憶部の一例を示す。図１０に示す例では、赤伝情報記憶部１２４は、「赤伝ＩＤ」、「店舗ＩＤ」、「金額」といった項目を有する。
【００６２】
「赤伝ＩＤ」は、赤伝票を識別する識別情報示す。「店舗ＩＤ」は、赤伝票の送信元である店舗を識別する識別情報示す。「金額」は、赤伝票の金額を示す。
【００６３】
（制御部１３０）
図６の説明に戻って、制御部１３０は、コントローラであり、例えば、ＣＰＵやＭＰＵ等によって、情報処理装置１００内部の記憶装置に記憶されている各種プログラム（情報処理プログラムの一例に相当）がＲＡＭを作業領域として実行されることにより実現される。また、制御部１３０は、コントローラであり、例えば、ＡＳＩＣやＦＰＧＡ等の集積回路により実現される。
【００６４】
図６に示すように、制御部１３０は、提供部１３１と、取得部１３２と、入金部１３３と、出金部１３４とを有し、以下に説明する情報処理の作用を実現または実行する。なお、制御部１３０の内部構成は、図６に示した構成に限られず、後述する情報処理を行う構成であれば他の構成であってもよい。
【００６５】
（提供部１３１）
提供部１３１は、コード決済サービスＳＡ１を提供する。また、提供部１３１は、第１端末装置１０を利用するユーザの電子マネー口座の残高を管理するサービスを提供する。
【００６６】
（取得部１３２）
取得部１３２は、入金用の二次元コードである入金コードに基づく入金情報であって、入金に関する入金情報に基づく入金要求を取得する。図１に示す例では、取得部１３２は、第１端末装置１０から入金要求を取得する。
【００６７】
また、取得部１３２は、第１端末装置１０を利用するユーザを識別するユーザ識別情報、第２端末装置２０を利用する店舗を識別する店舗識別情報、及び第２端末装置２０に入力された金額に基づく入金額に関する情報を入金要求とともに取得する。
【００６８】
また、取得部１３２は、第２端末装置２０に入力された金額に基づく出金額に対応する赤伝票に関する赤伝情報を第２端末装置２０から取得する。例えば、取得部１３２は、第２端末装置２０によって算出された出金額に対応する赤伝票に関する赤伝情報を取得する。例えば、取得部１３２は、ユーザから預かった現金の金額から、店舗手数料を引いた金額である出金額に対応する赤伝票に関する赤伝情報を取得する。
【００６９】
（入金部１３３）
入金部１３３は、取得部１３２によって取得された入金要求に応じて、第１端末装置１０を利用するユーザの電子マネー口座に第２端末装置２０に入力された金額に基づく入金額の電子マネーを入金する。具体的には、入金部１３３は、取得部１３２によって取得された入金情報に含まれる入金額に基づいて、第２端末装置２０に入力された金額に基づく入金額を特定する。また、入金部１３３は、取得部１３２によって取得された入金情報に含まれるユーザＩＤに基づいて、第１端末装置１０を利用するユーザを特定する。続いて、入金部１３３は、ユーザ情報記憶部１２１を参照して、特定したユーザのユーザＩＤに対応する電子マネー残高に入金額の電子マネーを加えることにより、入金額の電子マネーを入金する。
【００７０】
入金部１３３は、取得部１３２によって取得された入金額に関する情報に基づいて、入金額の電子マネーとして、第２端末装置２０に入力された金額から第２端末装置２０に入力された金額のうち所定の金額を減額した金額の電子マネーを入金する。例えば、入金部１３３は、第２端末装置２０に入力された金額から固定金額である所定の金額を減額した金額の電子マネーを入金する。また、入金部１３３は、第２端末装置２０に入力された金額から第２端末装置２０に入力された金額のうち所定の割合に相当する金額である所定の金額を減額した金額の電子マネーを入金する。例えば、入金部１３３は、ユーザから預かった現金の金額から店舗手数料を減額した金額に相当する入金額の電子マネーを入金する。
【００７１】
（出金部１３４）
出金部１３４は、第２端末装置２０を利用する店舗の銀行口座から所定の金額を出金する。出金部１３４は、取得部１３２によって取得された赤伝情報に基づいて、店舗の銀行口座から出金額を出金する。具体的には、出金部１３４は、赤伝情報記憶部１２４を参照して、赤伝情報に対応する赤伝ＩＤに紐づく出金額を取得する。また、出金部１３４は、赤伝情報記憶部１２４を参照して、赤伝情報の送信元である店舗の店舗ＩＤを取得する。続いて、出金部１３４は、店舗情報記憶部１２２を参照して、取得した店舗ＩＤに対応する店舗の銀行口座から取得した出金額を引き落とす。
【００７２】
〔１−５．入金処理のフロー〕
次に、図１１を用いて、第１の実施形態に係る入金処理の手順について説明する。図１１は、第１の実施形態に係る入金処理手順を示すフローチャートである。図１１に示す例では、情報処理装置１００は、入金用のＱＲコード（登録商標）である入金コードに基づく入金情報であって、入金に関する入金情報に基づく入金要求を取得したか否かを判定する（ステップＳ３０１）。情報処理装置１００は、入金要求を取得していない場合（ステップＳ３０１；Ｎｏ）、入金要求を取得するまで待機する。
【００７３】
一方、情報処理装置１００は、入金要求を取得した場合（ステップＳ３０１；Ｙｅｓ）、取得した入金要求に応じて、第１端末装置１０を利用するユーザの電子マネー口座に第２端末装置２０に入力された金額に基づく入金額の電子マネーを入金する（ステップＳ３０２）。
【００７４】
〔１−６．出金処理のフロー〕
次に、図１２を用いて、第１の実施形態に係る出金処理の手順について説明する。図１２は、第１の実施形態に係る出金処理手順を示すフローチャートである。図１２に示す例では、情報処理装置１００は、第２端末装置２０に入力された金額に基づく出金額に対応する赤伝票に関する赤伝情報を取得したか否かを判定する（ステップＳ４０１）。情報処理装置１００は、赤伝情報を取得していない場合（ステップＳ４０１；Ｎｏ）、赤伝情報を取得するまで待機する。
【００７５】
一方、情報処理装置１００は、赤伝情報を取得した場合（ステップＳ４０１；Ｙｅｓ）、取得した赤伝情報に応じて、第２端末装置２０を利用する店舗の銀行口座から所定の金額を出金する（ステップＳ４０２）。
【００７６】
〔１−７．変形例〕
上述した第１の実施形態に係る情報処理システム１は、上記実施形態以外にも種々の異なる形態にて実施されてよい。そこで、以下では、情報処理システム１の他の実施形態について説明する。なお、実施形態と同一部分には、同一符号を付して説明を省略する。
【００７７】
〔１−７−１．コード決済サービスＳＡ１によるインセンティブ提供モデル〕
図１に示す例では、ユーザの電子マネー口座への入金に係る手数料をユーザが負担するビジネスモデルについて説明したが、本願発明に係るビジネスモデルはこれに限られない。ここでは、ユーザに対して電子マネー口座への入金に対するインセンティブを付与する。そして、ユーザに対して付与するインセンティブをコード決済サービスＳＡ１が負担するビジネスモデルについて説明する。
【００７８】
具体的には、送信部１５２は、入金額に関する情報として、第２端末装置２０に入力された金額から第２端末装置２０に入力された金額のうち所定の金額を増額した金額に関する情報を送信する。例えば、送信部１５２は、第２端末装置２０に入力された金額から固定金額である所定の金額を増額した金額に関する情報を送信する。また、送信部１５２は、第２端末装置２０に入力された金額から第２端末装置２０に入力された金額のうち所定の割合に相当する金額である所定の金額を増額した金額に関する情報を送信する。
【００７９】
取得部１３２は、入金額に関する情報として、第２端末装置２０に入力された金額から第２端末装置２０に入力された金額のうち所定の金額を増額した金額に関する情報を取得する。入金部１３３は、取得部１３２によって取得された入金額に関する情報に基づいて、入金額の電子マネーとして、第２端末装置２０に入力された金額から第２端末装置２０に入力された金額のうち所定の金額を増額した金額の電子マネーを入金する。例えば、入金部１３３は、第２端末装置２０に入力された金額から固定金額である所定の金額を増額した金額の電子マネーを入金する。また、入金部１３３は、第２端末装置２０に入力された金額から第２端末装置２０に入力された金額のうち所定の割合に相当する金額である所定の金額を増額した金額の電子マネーを入金する。
【００８０】
また、入金部１３３は、入金額の電子マネーとして、第２端末装置２０を利用する店舗でのみ利用可能な電子マネーを入金する。例えば、入金部１３３は、電子マネー変換時にコード決済サービスＳＡ１利用可能店舗でのみ利用できるローカルな電子マネーを入金額のうち所定の金額を入金額から増額して入金する。入金部１３３は、ユーザに対しては、電子マネー入金の利用特典として、入金先の店舗限定の電子マネーを増額して入金する。
【００８１】
また、入金部１３３は、ユーザの電子マネー口座に入金された入金額の累計金額に応じて、所定の金額を段階的に変更する。また、入金部１３３は、ユーザの電子マネー口座に入金された入金額の累計金額が多くなるほど、所定の金額を高くするように段階的に変更する。具体的には、入金部１３３は、電子マネー口座に入金された入金額の累計金額が多くなるほど、電子マネー入金の利用特典として、入金先の店舗限定の電子マネーを増額して入金する際のインセンティブ付与率を高くするように段階的に変更する。例えば、入金部１３３は、電子マネー口座に入金される入金額の累計金額が一月あたり１００円〜１，０００円であるユーザのインセンティブ付与率を５％、１，００１円〜５，０００円であるユーザのインセンティブ率を１０％、５，００１円〜１０，０００円であるユーザのインセンティブ付与率を１５％、１０，００１円〜１５，０００円であるユーザのインセンティブ付与率を２０％、…、１００，０００円以上であるユーザのインセンティブ付与率を５０％と決めておき、電子マネー口座に入金される入金額の累計金額に応じて、ユーザに対する電子マネー口座への入金のインセンティブ付与率を段階的に高くする。例えば、入金部１３３は、電子マネー口座に入金される入金額の累計金額が一月あたり１００，０００円以上であるユーザＵ３が、店舗ＳＴ３で１０，０００円を電子マネー口座に入金する場合、インセンティブ付与率である５０％を１０，０００円に乗じた金額である５，０００円を１０，０００円から増額した合計１５，０００円をユーザＵ３の電子マネー口座に入金する。但し、ユーザＵ３に対してインセンティブとして付与された５，０００円分の電子マネーは、店舗ＳＴ３でのみ利用可能であるものとする。
【００８２】
〔１−７−２．加盟店フィー負担モデル〕
上記のコード決済サービスＳＡ１によるインセンティブ提供モデルでは、ユーザに対して付与するインセンティブをコード決済サービスＳＡ１が負担するビジネスモデルについて説明したが、コード決済サービスＳＡ１の契約加盟店舗がユーザに対して付与するインセンティブを負担してもよい。ここでは、コード決済サービスＳＡ１の契約加盟店舗がユーザに対して付与するインセンティブを負担するビジネスモデルについて説明する。
【００８３】
具体的には、コード決済サービスＳＡ１の契約加盟店舗がユーザに対して付与するインセンティブを負担することで各契約加盟店舗が自由にユーザへのインセンティブ付与率を決定する。入金部１３３は、各契約加盟店舗によって設定されたインセンティブ付与率に応じて増額分の入金額を算出する。例えば、コード決済サービスＳＡ１の契約加盟店舗である飲食店Ａは、「今なら電子マネー入金で１０％の電子マネークーポン（ボーナス）もらえる！」というキャンペーンを実行する。つまり、飲食店Ａはユーザへのインセンティブ付与率を入金金額の１０％に決定する。また、コード決済サービスＳＡ１の契約加盟店舗であるアパレル店Ｂは、「期間中５％の電子マネークーポン（ボーナス）キャンペーン」というキャンペーンを実行する。つまり、アパレル店Ｂは所定期間中のユーザへのインセンティブ付与率を入金金額の５％に決定する。
【００８４】
例えば、入金部１３３は、飲食店Ａを訪れたユーザＵ４が、飲食店Ａで１０，０００円を電子マネー口座に入金する場合、インセンティブ付与率である１０％を１０，０００円に乗じた金額である１，０００円を１０，０００円から増額した合計１１，０００円をユーザＵ４の電子マネー口座に入金する。但し、ユーザＵ４に対してインセンティブとして付与された１，０００円分の電子マネーは、飲食店Ａでのみ利用可能であるものとする。
【００８５】
〔２．第２の実施形態〕
〔２−１．情報処理の一例〕
次に、図１３を用いて、第２の実施形態に係る情報処理の一例について説明する。図１３は、第２の実施形態に係る情報処理の一例を示す図である。上述してきた第１の実施形態では、コード決済サービスＳＡ１を利用可能な店舗の端末である第２端末装置２０に表示されたＱＲコード（登録商標）をユーザの端末である第１端末装置１０が読み取る。そして、第１端末装置１０が、ＱＲコード（登録商標）に基づく入金要求を、ユーザの電子マネー口座を管理する情報処理装置１００に送信する情報処理の一例を説明した。第２の実施形態では、ユーザの端末である第１端末装置１０に表示されたＱＲコード（登録商標）を、コード決済サービスＳＡ１を利用可能な店舗の端末である第２端末装置２０が読み取る。そして、第２端末装置２０が、ＱＲコード（登録商標）に基づく入金要求を、ユーザの電子マネー口座を管理する情報処理装置１００に送信する情報処理の例を示す。図１３では、第２端末装置２０が、二次元コード（ＱＲコード（登録商標））を読み取り可能なバーコードリーダと、アプリＡＰ２がインストールされたコンピュータと、ＰＯＳレジの３つの装置全体を示す例を説明する。なお、第２端末装置２０は、図１で示したような１台のタブレット型端末装置であってもよい。なお、第２の実施形態では、第１の実施形態と同様の構成について同一の符号を付して説明を省略する。
【００８６】
ここから、図１３を用いて、情報処理の流れについて説明する。図１３は、実施形態に係る情報処理の一例を示す図である。図１３に示す例では、ユーザＵ１は、コード決済サービスＳＡ１を利用可能な店舗ＳＴ２において、現金を電子マネー口座にチャージすることを希望している。ユーザＵ１は、コード決済サービスＳＡ１を利用可能な店舗ＳＴ２のカウンターで店舗ＳＴ２に８００円の現金を預け入れる（ステップＳ２１）。店舗ＳＴ２の従業員は、ユーザＵ１から預かった現金を売上として計上する。続いて、店舗ＳＴ２の従業員は、第２端末装置２０にインストールされたアプリＡＰ２を起動する。これにより、第２端末装置２０は、入金用のＱＲコード（登録商標）を検知する（読み取る）ための撮像モードになる。また、店舗ＳＴ２の従業員は、ユーザＵ１から預かった現金の金額である８００円を第２端末装置２０に入力する（ステップＳ２２）。
【００８７】
コード決済サービスＳＡ１に対応した第２端末装置２０は、店舗ＳＴ２の従業員の入力操作に従って、現金の金額である８００円の入力を受け付ける。第２端末装置２０は、現金の金額である８００円の入力を受け付けると、受け付けた現金の金額に基づいて、入金に係る手数料を算出する（ステップＳ２３）。図１３では、手数料は、ユーザから預かった現金の金額の１０％であり、コード決済サービスＳＡ１と店舗ＳＴ２とで手数料を半分ずつ按分する例を示す。図１３では、第２端末装置２０は、ユーザから預かった現金の金額が８００円なので、８００円の１０％である８０円を手数料として算出する。また、第２端末装置２０は、手数料である８０円のうち、半分の金額である４０円をコード決済サービスＳＡ１の手数料として算出する。また、第２端末装置２０は、手数料である８０円のうち、半分の金額である４０円を店舗ＳＴ２の手数料（以下、適宜「店舗手数料」と記載する。）として算出する。続いて、第２端末装置２０は、手数料を計算すると、ユーザＵ１の電子マネー口座に入金する金額である入金額を算出する。図１３に示す例では、第２端末装置２０は、ユーザから預かった現金の金額である８００円から、手数料である８０円を引いた金額である７２０円を入金額として算出する。
【００８８】
また、店舗ＳＴ２の管理者は、入金額を算出した後に、ユーザから預かった現金の金額である８００円から、店舗手数料である４０円を引いた金額である７６０円をレジから出金して、店舗ＳＴ２によってコード決済サービスＳＡ１の引き落とし口座として登録された店舗ＳＴ２の銀行口座に７６０円を入金する。第２端末装置２０は、店舗ＳＴ２の銀行口座に入金された金額である７６０円分の赤伝票に関する赤伝情報を生成する。店舗ＳＴ２の管理者端末（図示略）は、第２端末装置２０によって赤伝情報が生成されると、第２端末装置２０が生成した赤伝情報をコード決済サービスＳＡ１の管理者端末（図示略）へ送信する（ステップＳ２４）。
【００８９】
一方、ユーザＵ１は、店舗ＳＴ２に８００円の現金を預け入れると、第１端末装置１０にインストールされたアプリＡＰ１を起動する。これにより、第１端末装置１０は、入金用のＱＲコード（登録商標）である入金コードを生成する生成モードになる。第１端末装置１０は、ユーザＵ１を識別するユーザＩＤ「Ｕ１」を埋め込んだ入金用のＱＲコード（登録商標）である入金コードを生成する。第１端末装置１０は、入金コードを生成すると、生成した入金コードを第１端末装置１０の画面に表示する（ステップＳ２５）。
【００９０】
第２端末装置２０は、店舗ＳＴ２の従業員の操作に従って、第１端末装置１０に表示された入金用のＱＲコード（登録商標）を読み取ることで入金に関する入金情報を取得する（ステップＳ２６）。具体的には、第２端末装置２０は、第１端末装置１０を利用するユーザＵ１を識別するユーザＩＤ「Ｕ１」が埋め込まれた入金用のＱＲコード（登録商標）を読み取ることで、入金情報として、ユーザＩＤ「Ｕ１」を取得する。また、第２端末装置２０は、記憶部２４（図１４参照）を参照して、第２端末装置２０を利用する店舗ＳＴ２を識別する店舗ＩＤ「ＳＴ２」を取得する。また、第２端末装置２０は、記憶部２４（図１４参照）を参照して、入金額である「７２０円」に関する情報を取得する。
【００９１】
続いて、第２端末装置２０は、入金情報を取得すると、取得した入金情報に基づく入金要求を、第１端末装置１０を利用するユーザＵ１の電子マネー口座を管理する情報処理装置１００へ送信する（ステップＳ２７）。具体的には、第２端末装置２０は、入金情報として取得したユーザＩＤ「Ｕ１」と、記憶部２４（図１４参照）から取得した入金額である「７２０円」に関する情報と、記憶部２４（図１４参照）から取得した店舗ＩＤ「ＳＴ１」とを入金要求とともに情報処理装置１００へ送信する。
【００９２】
情報処理装置１００は、第２端末装置２０から入金要求を取得する（ステップＳ２８）。具体的には、情報処理装置１００は、入金額である「７２０円」に関する情報と、第２端末装置２０を利用する店舗ＳＴ１を識別する店舗ＩＤ「ＳＴ２」と、第１端末装置１０を利用するユーザＵ１を識別するユーザＩＤ「Ｕ１」とを入金要求とともに取得する。情報処理装置１００は、店舗ＩＤ「ＳＴ２」を取得すると、取得した店舗ＩＤ「ＳＴ２」がコード決済サービスＳＡ１の利用可能店舗に関する店舗情報記憶部１２２（図６参照）に存在するか否かを判定する。情報処理装置１００は、取得した店舗ＩＤ「ＳＴ２」が店舗情報記憶部１２２（図６参照）に存在すると判定すると、店舗ＩＤ「ＳＴ２」に対応する店舗ＳＴ２がコード決済サービスＳＡ１の利用可能店舗であると判定する。
【００９３】
続いて、情報処理装置１００は、店舗ＳＴ２がコード決済サービスＳＡ１の利用可能店舗であると判定すると、取得した入金要求に応じて、ユーザＵ１の電子マネー口座に入金額を入金（チャージ）する（ステップＳ２９）。また、コード決済サービスＳＡ１の管理者端末は、店舗ＳＴ２の管理者端末から赤伝情報を受信する（ステップＳ２１０）。コード決済サービスＳＡ１の管理者は、コード決済サービスＳＡ１の管理者端末が赤伝情報を受信すると、受信した赤伝情報に基づいて、店舗ＳＴ２の銀行口座から７６０円を引き落とす。具体的には、店舗ＳＴ２の銀行口座から、コード決済サービスＳＡ１の銀行口座に７６０円が引き落とされる（ステップＳ２１１）。
【００９４】
上述したように、第２端末装置２０は、第１端末装置１０に表示された入金用の二次元コードである入金コードを読み取ることで入金に関する入金情報を取得する。第２端末装置２０は、取得した入金情報に基づく入金要求を、第１端末装置１０を利用するユーザの電子マネー口座を管理する情報処理装置１００へ送信する。これにより、第２端末装置２０は、ユーザが電子マネー等をチャージしたいと思ったときに、二次元コードの読み取りにより決済可能な決済サービスに対応している店舗であればいつでもどこでも手軽に現金をチャージすることを可能にする。したがって、第２端末装置２０は、電子マネー等のチャージにおけるユーザビリティを向上させることができる。
【００９５】
〔２−２．第２端末装置の構成〕
次に、図１４を用いて、第２の実施形態に係る第２端末装置２０の構成について説明する。図１４は、第２の実施形態に係る第２端末装置２０の構成例を示す図である。図１４に示すように、第２端末装置２０は、通信部２１と、入力部２２と、撮像部２３と、記憶部２４と、制御部２５と、表示部２６とを有する。なお、図１３に示す第２端末装置２０を構成するバーコードリーダと、アプリＡＰ２がインストールされたコンピュータと、ＰＯＳレジの３つの装置は、ネットワークと有線または無線で接続されている。図１３に示す第２端末装置２０のコンピュータは、通信部２１と、入力部２２と、記憶部２４と、制御部２５と、表示部２６の機能を備える。また、図１３に示す第２端末装置２０のバーコードリーダは、撮像部２３の機能を備える。
【００９６】
（通信部２１）
通信部２１は、例えば、ＮＩＣ等によって実現される。そして、通信部２１は、ネットワークと有線または無線で接続され、例えば、第１端末装置１０と、情報処理装置１００との間で情報の送受信を行う。
【００９７】
（入力部２２）
入力部２２は、店舗の従業員からの各種操作を受け付ける。具体的には、入力部２２は、店舗の従業員から金額の入力を受け付ける。例えば、入力部２２は、タッチパネル機能により表示面を介して店舗の従業員からの各種操作を受け付けてもよい。また、入力部２２は、第２端末装置２０に設けられたボタンや、第２端末装置２０に接続されたキーボードやマウスからの各種操作を受け付けてもよい。また、入力部２２は、金額の入力を受け付けると、金額の入力を受け付けると、入力された金額に基づく入金額に関する情報を算出する。続いて、入力部２２は、入金額に関する情報を算出すると、算出した入金額に関する情報を入金コード情報記憶部２４２に格納する。また、入力部２２は、受け付けた金額に関する情報を情報処理装置１００に送信してもよい。
【００９８】
（撮像部２３）
撮像部２３は、バーコードやＱＲコード（登録商標）を撮像するカメラ機能を実現する。撮像部２３は、レンズ等の光学系と、ＣＣＤイメージセンサ、ＣＭＯＳセンサ等の撮像素子と、を有する。かかる撮像部２３は、入力部２２を介して店舗の従業員から受け付けた操作に従って、例えば、第１端末装置１０に表示されたＱＲコード（登録商標）を撮像する。
【００９９】
（記憶部２４）
記憶部２４は、例えば、ＲＡＭ、フラッシュメモリ等の半導体メモリ素子、または、ハードディスク、光ディスク等の記憶装置によって実現される。記憶部２４は、例えば、第２端末装置２０にインストールされているアプリケーション（例えばアプリＡＰ２等）に関する情報、例えばプログラム等を記憶する。また、記憶部２４は、図１４に示すように、店舗情報記憶部２４１と入金コード情報記憶部２４２を有する。
【０１００】
（店舗情報記憶部２４１）
店舗情報記憶部２４１は、店舗に関する各種の情報を記憶する。図１５に、第２の実施形態に係る店舗情報記憶部の一例を示す。図１５に示す例では、店舗情報記憶部２４１は、「店舗ＩＤ」、「利用端末ＩＤ」、「アプリＩＤ」といった項目を有する。
【０１０１】
「店舗ＩＤ」は、第２端末装置２０を利用する店舗を識別する識別情報を示す。「利用端末ＩＤ」は、店舗によって利用される第２端末装置２０を識別する識別情報を示す。「アプリＩＤ」は、第２端末装置２０にインストールされたアプリを識別する識別情報を示す。
【０１０２】
（入金コード情報記憶部２４２）
入金コード情報記憶部２４２は、入金コードに関する各種の情報を記憶する。図１６に、第２の実施形態に係る入金コード情報記憶部の一例を示す。図１６に示す例では、入金コード情報記憶部２４２は、「入金コードＩＤ」、「入金額」、「ユーザＩＤ」、「店舗ＩＤ」といった項目を有する。
【０１０３】
「入金コードＩＤ」は、入金コードを識別する識別情報を示す。「入金額」は、ユーザの電子マネー口座に入金する入金額を示す。「ユーザＩＤ」は、第１端末装置１０を利用するユーザを識別する識別情報を示す。「店舗ＩＤ」は、第２端末装置２０を利用する店舗を識別する識別情報を示す。
【０１０４】
（制御部２５）
制御部２５は、コントローラであり、例えば、ＣＰＵやＭＰＵ等によって、第２端末装置２０の内部の記憶装置に記憶されている各種プログラム（例えば、アプリＡＰ２）がＲＡＭを作業領域として実行されることにより実現される。また、制御部２５は、例えば、コントローラであり、ＡＳＩＣやＦＰＧＡ等の集積回路により実現される。
【０１０５】
図１４に示すように、制御部２５は、取得部２５１と、送信部２５２とを有し、以下に説明する情報処理の作用を実現または実行する。
【０１０６】
（取得部２５１）
取得部２５１は、第１端末装置１０に表示された入金用の二次元コードである入金コードを読み取ることで入金に関する入金情報を取得する。取得部２５１は、第１端末装置１０によって生成された入金コードを読み取ることで入金に関する入金情報を取得する。取得部２５１は、第１端末装置１０を利用するユーザを識別するユーザ識別情報が埋め込まれた入金コードを読み取ることで入金に関する入金情報を取得する。具体的には、取得部２５１は、入金情報として、第１端末装置１０を利用するユーザを識別するユーザ識別情報を取得する。より具体的には、取得部２５１は、第１端末装置１０を利用するユーザを識別するユーザＩＤが埋め込まれた入金用のＱＲコード（登録商標）を読み取ることで、ユーザ識別情報であるユーザＩＤを取得する。取得部２５１は、読み取った入金コードに埋め込まれたユーザＩＤを取得する。取得部２５１は、ユーザＩＤを取得すると、取得したユーザＩＤを入金コードＩＤと対応付けて入金コード情報記憶部２４２に格納する。
【０１０７】
また、取得部２５１は、第２端末装置２０を利用する店舗を識別する店舗識別情報を取得する。より具体的には、取得部２５１は、店舗情報記憶部２４１を参照して、店舗識別情報である店舗ＩＤを取得する。取得部２５１は、店舗ＩＤを取得すると、取得した店舗ＩＤを入金コードＩＤと対応付けて入金コード情報記憶部２４２に格納する。
【０１０８】
また、取得部２５１は、第２端末装置２０に入力された金額に基づく入金額に関する情報を取得する。より具体的には、取得部２５１は、入力部２２によって入力された金額に基づく入金額に関する情報を取得する。例えば、取得部２５１は、入金額に関する情報として、第２端末装置２０に入力された金額から第２端末装置２０に入力された金額のうち所定の金額を減額した金額に関する情報を取得する。続いて、取得部２５１は、入金額に関する情報を取得すると、取得した入金額に関する情報を入金コードＩＤと対応付けて入金コード情報記憶部２４２に格納する。
【０１０９】
（送信部２５２）
送信部２５２は、取得部２５１によって取得された入金情報に基づく入金要求を、第１端末装置１０を利用するユーザの電子マネー口座を管理する情報処理装置１００へ送信する。具体的には、送信部２５２は、第２端末装置２０に入力された金額に基づく入金額に関する情報を入金要求とともに送信する。より具体的には、送信部２５２は、入金コード情報記憶部２４２を参照して、入金コードＩＤに対応する入金額に関する情報を取得する。続いて、送信部２５２は、入金額に関する情報を取得すると、取得した入金額に関する情報を入金要求とともに送信する。
【０１１０】
また、送信部２５２は、入金額に関する情報として、第２端末装置２０に入力された金額から第２端末装置２０に入力された金額のうち所定の金額を減額した金額に関する情報を送信する。例えば、送信部２５２は、第２端末装置２０に入力された金額から固定金額である所定の金額を減額した金額に関する情報を送信する。また、送信部２５２は、第２端末装置２０に入力された金額から第２端末装置２０に入力された金額のうち所定の割合に相当する金額である所定の金額を減額した金額に関する情報を送信する。
【０１１１】
なお、送信部２５２は、入金額に関する情報として、第２端末装置２０に入力された金額から第２端末装置２０に入力された金額のうち所定の金額を増額した金額に関する情報を送信してもよい。例えば、送信部２５２は、第２端末装置２０に入力された金額から固定金額である所定の金額を増額した金額に関する情報を送信する。また、送信部２５２は、第２端末装置２０に入力された金額から第２端末装置２０に入力された金額のうち所定の割合に相当する金額である所定の金額を増額した金額に関する情報を送信する。
【０１１２】
また、送信部２５２は、第２端末装置を利用する店舗を識別する店舗識別情報を入金要求とともに送信する。より具体的には、送信部２５２は、入金コード情報記憶部２４２を参照して、入金コードＩＤに対応する店舗ＩＤを店舗識別情報として取得する。続いて、送信部２５２は、店舗ＩＤを取得すると、取得した店舗ＩＤを入金要求とともに送信する。
【０１１３】
また、送信部２５２は、第２端末装置を利用する店舗を識別する店舗識別情報を入金要求とともに送信する。より具体的には、送信部２５２は、入金コード情報記憶部２４２を参照して、入金コードＩＤに対応する店舗ＩＤを店舗識別情報として取得する。続いて、送信部２５２は、店舗ＩＤを取得すると、取得した店舗ＩＤを入金要求とともに送信する。
【０１１４】
また、送信部２５２は、第１端末装置１０を利用するユーザを識別するユーザ識別情報を入金要求とともに送信する。より具体的には、送信部２５２は、入金コード情報記憶部２４２を参照して、入金コードＩＤに対応するユーザＩＤをユーザ識別情報として取得する。続いて、送信部２５２は、ユーザＩＤを取得すると、取得したユーザＩＤを入金要求とともに送信する。
【０１１５】
（表示部２６）
表示部２６は、各種情報を表示するための表示装置である。例えば、表示部２６は、液晶ディスプレイ等によって実現される。なお、第２端末装置２０にタッチパネルが採用された場合には、入力部２２と表示部２６とは一体化される。
【０１１６】
〔２−３．情報処理のフロー〕
次に、図１７を用いて、第２の実施形態に係る情報処理の手順について説明する。図１７は、第２の実施形態に係る情報処理手順を示すフローチャートである。図１７に示す例では、第２端末装置２０は、第１端末装置１０に表示された入金用のＱＲコード（登録商標）を読み取ることで入金に関する入金情報を取得したか否かを判定する（ステップＳ２０１）。第２端末装置２０は、入金用のＱＲコード（登録商標）を読み取ることで入金に関する入金情報を取得していない場合（ステップＳ２０１；Ｎｏ）、入金用のＱＲコード（登録商標）を読み取ることで入金に関する入金情報を取得するまで待機する。
【０１１７】
一方、第２端末装置２０は、入金用のＱＲコード（登録商標）を読み取ることで入金に関する入金情報を取得した場合（ステップＳ２０１；Ｙｅｓ）、取得した入金情報に基づく入金要求を、第１端末装置１０を利用するユーザの電子マネー口座を管理する情報処理装置１００へ送信する（ステップＳ２０２）。
【０１１８】
〔３．効果〕
上述してきたように、第１の実施形態に係る第１端末装置１０は、取得部１５１と送信部１５２とを備える。取得部１５１は、二次元コードの読み取りにより決済可能な決済サービスに対応している第２端末装置２０に表示された入金用の二次元コードである入金コードを読み取ることで入金に関する入金情報を取得する。送信部１５２は、取得部１５１によって取得された入金情報に基づく入金要求を、第１端末装置１０を利用するユーザの電子マネー口座を管理する情報処理装置１００へ送信する。
【０１１９】
これにより、第１端末装置１０は、ユーザが電子マネー等をチャージしたいと思ったときに、二次元コードの読み取りにより決済可能な決済サービスに対応している店舗であればいつでもどこでも手軽に現金をチャージすることを可能にする。したがって、第１端末装置１０は、電子マネー等のチャージにおけるユーザビリティを向上させることができる。
【０１２０】
また、第２の実施形態に係る第２端末装置２０は、取得部２５１と送信部２５２とを備える。取得部２５１は、第１端末装置１０に表示された入金用の二次元コードである入金コードを読み取ることで入金に関する入金情報を取得する。送信部２５２は、取得部２５１によって取得された入金情報に基づく入金要求を、第１端末装置１０を利用するユーザの電子マネー口座を管理する情報処理装置１００へ送信する。
【０１２１】
これにより、第２端末装置２０は、ユーザが電子マネー等をチャージしたいと思ったときに、二次元コードの読み取りにより決済可能な決済サービスに対応している店舗であればいつでもどこでも手軽に現金をチャージすることを可能にする。したがって、第２端末装置２０は、電子マネー等のチャージにおけるユーザビリティを向上させることができる。
【０１２２】
また、送信部１５２および送信部２５２は、第２端末装置２０に入力された金額に基づく入金額に関する情報を入金要求とともに送信する。
【０１２３】
これにより、第１端末装置１０および第２端末装置２０は、ユーザが店舗に預けた現金の金額に基づく所定の入金額をユーザの電子マネー口座にチャージすることを可能にする。
【０１２４】
また、送信部１５２および送信部２５２は、入金額に関する情報として、第２端末装置２０に入力された金額から第２端末装置２０に入力された金額のうち所定の金額を減額した金額に関する情報を送信する。
【０１２５】
これにより、第１端末装置１０および第２端末装置２０は、ユーザが店舗に預けた現金の金額のうち所定の金額をユーザが負担する手数料として徴収することができる。また、徴収した手数料を店舗に還元することにより、店舗に対してチャージの利用を促すことができる。
【０１２６】
また、送信部１５２および送信部２５２は、入金額に関する情報として、第２端末装置２０に入力された金額から第２端末装置２０に入力された金額のうち所定の金額を増額した金額に関する情報を送信する。
【０１２７】
これにより、第１端末装置１０および第２端末装置２０は、ユーザが店舗に預けた現金の金額のうち所定の金額をチャージの利用に対するインセンティブとしてユーザに付与可能とすることができる。また、ユーザに対してインセンティブを付与可能とすることにより、ユーザに対して電子マネー等のチャージを促すことができる。
【０１２８】
また、送信部１５２および送信部２５２は、第２端末装置を利用する店舗を識別する店舗識別情報を入金要求とともに送信する。
【０１２９】
これにより、第１端末装置１０および第２端末装置２０は、店舗からチャージを利用したユーザのログの照会があった場合に、店舗に対してチャージを利用したユーザのログを提供可能とする。
【０１３０】
また、送信部１５２および送信部２５２は、第１端末装置１０を利用するユーザを識別するユーザ識別情報を入金要求とともに送信する。
【０１３１】
これにより、第１端末装置１０および第２端末装置２０は、第１端末装置１０を利用するユーザを特定して、特定したユーザの電子マネー口座に入金可能とすることができる。
【０１３２】
また、実施形態に係る情報処理装置１００は、取得部１３２と入金部１３３とを備える。取得部１３２は、入金用の二次元コードである入金コードに基づく入金情報であって、入金に関する入金情報に基づく入金要求を取得する。入金部１３３は、取得部１３２によって取得された入金要求に応じて、第１端末装置１０を利用するユーザの電子マネー口座に第２端末装置２０に入力された金額に基づく入金額の電子マネーを入金する。
【０１３３】
これにより、情報処理装置１００は、ユーザが電子マネー等をチャージしたいと思ったときに、二次元コードの読み取りにより決済可能な決済サービスに対応している店舗であればいつでもどこでも手軽に現金をユーザの電子マネー口座に入金することができる。したがって、情報処理装置１００は、電子マネー等のチャージにおけるユーザビリティを向上させることができる。
【０１３４】
また、取得部１３２は、第１端末装置１０を利用するユーザを識別するユーザ識別情報、第２端末装置２０を利用する店舗を識別する店舗識別情報、及び第２端末装置２０に入力された金額に基づく入金額に関する情報を入金要求とともに取得する。
【０１３５】
これにより、情報処理装置１００は、第１端末装置１０を利用するユーザを特定して、特定したユーザの電子マネー口座に第２端末装置２０に入力された金額に基づく入金額を入金することができる。また、情報処理装置１００は、店舗からチャージを利用したユーザのログの照会があった場合に、店舗に対してチャージを利用したユーザのログを提供することができる。
【０１３６】
また、入金部１３３は、取得部１３２によって取得された入金額に関する情報に基づいて、入金額の電子マネーとして、第２端末装置２０に入力された金額から第２端末装置２０に入力された金額のうち所定の金額を減額した金額の電子マネーを入金する。
【０１３７】
これにより、情報処理装置１００は、ユーザが店舗に預けた現金の金額のうち所定の金額をユーザが負担する手数料として徴収することができる。また、徴収した手数料を収入源とすることにより、本願発明に係る入金サービスをビジネスとして成立させることができる。
【０１３８】
また、入金部１３３は、取得部１３２によって取得された入金額に関する情報に基づいて、入金額の電子マネーとして、第２端末装置２０に入力された金額から第２端末装置２０に入力された金額のうち所定の金額を増額した金額の電子マネーを入金する。
【０１３９】
これにより、情報処理装置１００は、ユーザが店舗に預けた現金の金額のうち所定の金額をチャージの利用に対するインセンティブとしてユーザに付与することができる。また、ユーザに対してインセンティブを付与することにより、ユーザに対して電子マネー等のチャージを促すことができる。
【０１４０】
また、入金部１３３は、ユーザの電子マネー口座に入金された入金額の累計金額に応じて、所定の金額を段階的に変更する。また、入金部１３３は、ユーザの電子マネー口座に入金された入金額の累計金額が多くなるほど、所定の金額を高くするように段階的に変更する。
【０１４１】
これにより、情報処理装置１００は、ユーザが手持ちの現金を電子マネーに変換していくことで、より電子マネーの利用率を向上させることができる。したがって、情報処理装置１００は、ユーザに対して電子マネー等のチャージを促す動機付けを与えることができる。
【０１４２】
また、入金部１３３は、入金額の電子マネーとして、第２端末装置２０を利用する店舗でのみ利用可能な電子マネーを入金する。
【０１４３】
これにより、情報処理装置１００は、店舗でのみ利用可能な電子マネー分のセール価値を店舗がユーザに対して提供することを可能にする。また、情報処理装置１００は、ユーザ側に対するメリットだけではなく、店舗側に対しては店舗の利用促進を期待できるというメリットを提供することを可能にする。したがって、情報処理装置１００は、店舗に対してチャージの利用を促すことができる。
【０１４４】
また、実施形態に係る情報処理装置１００は、出金部１３４をさらに備える。出金部１３４は、第２端末装置２０を利用する店舗の銀行口座から所定の金額を出金する。取得部１３２は、第２端末装置２０に入力された金額に基づく出金額に対応する赤伝票に関する赤伝情報を第２端末装置２０から取得する。出金部１３４は、取得部１３２によって取得された赤伝情報に基づいて、店舗の銀行口座から出金額を出金する。
【０１４５】
これにより、情報処理装置１００は、ユーザの電子マネー口座に入金した入金額を回収することができる。
【０１４６】
〔４．ハードウェア構成〕
また、上述してきた実施形態に係る情報処理装置１００、第１端末装置１０および第２端末装置２０は、例えば図１８に示すような構成のコンピュータ１０００によって実現される。図１８は、情報処理装置１００および第１端末装置１０および第２端末装置２０の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を備える。
【０１４７】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４８】
ＨＤＤ１４００は、ＣＰＵ１１００によって実行されるプログラム、及び、かかるプログラムによって使用されるデータ等を格納する。通信インターフェイス１５００は、所定の通信網を介して他の機器からデータを受信してＣＰＵ１１００へ送り、ＣＰＵ１１００が生成したデータを所定の通信網を介して他の機器へ送信する。
【０１４９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５０】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５１】
例えば、コンピュータ１０００が情報処理装置１００、第１端末装置１０または第２端末装置２０として機能する場合、コンピュータ１０００のＣＰＵ１１００は、ＲＡＭ１２００上にロードされたプログラムを実行することにより、制御部１３０、制御部１５または制御部２５の機能を実現する。コンピュータ１０００のＣＰＵ１１００は、これらのプログラムを記録媒体１８００から読み取って実行するが、他の例として、他の装置から所定の通信網を介してこれらのプログラムを取得してもよい。
【０１５２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５３】
〔５．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１５５】
また、上述してきた実施形態及び変形例は、処理内容を矛盾させない範囲で適宜組み合わせることが可能である。
【０１５６】
また、上述してきた「部（section、module、unit）」は、「手段」や「回路」などに読み替えることができる。例えば、取得部は、取得手段や取得回路に読み替えることができる。
【符号の説明】
【０１５７】
１  情報処理システム
１０  第１端末装置
１１  通信部
１２  入力部
１３  撮像部
１４  記憶部
１４１  ユーザ情報記憶部
１４２  入金コード情報記憶部
１５  制御部
１５１  取得部
１５２  送信部
１５３  受信部
１５４  表示制御部
１６  表示部
１００  情報処理装置
１１０  通信部
１２０  記憶部
１２１  ユーザ情報記憶部
１２２  店舗情報記憶部
１２３  入金情報記憶部
１２４  赤伝情報記憶部
１３０  制御部
１３１  提供部
１３２  取得部
１３３  入金部
１３４  出金部
２０  第２端末装置
２１  通信部
２２  入力部
２３  撮像部
２４  記憶部
２４１  店舗情報記憶部
２４２  入金コード情報記憶部
２５  制御部
２５１  取得部
２５２  送信部
【図１】
2020160972.tif 000003
【図２】
2020160972.tif 000004
【図３】
2020160972.tif 000005
【図４】
2020160972.tif 000006
【図５】
2020160972.tif 000007
【図６】
2020160972.tif 000008
【図７】
2020160972.tif 000009
【図８】
2020160972.tif 000010
【図９】
2020160972.tif 000011
【図１０】
2020160972.tif 000012
【図１１】
2020160972.tif 000013
【図１２】
2020160972.tif 000014
【図１３】
2020160972.tif 000015
【図１４】
2020160972.tif 000016
【図１５】
2020160972.tif 000017
【図１６】
2020160972.tif 000018
【図１７】
2020160972.tif 000019
【図１８】
2020160972.tif 000020